(57)【特許請求の範囲】
【請求項１】
移動局と，該移動局と通信を行う基地局との間に設定される無線通信路を介して送信される信号の送信電力を目標電力閾値に対応するように制御する電力制御装置であって，
前記無線通信路上を一定の長さの通信単位ごとに送信される通信データを受信し，該通信データに誤りがあるかどうかを前記通信単位ごとに判定する誤り判定部と，
前記受信された通信単位の受信データの個数Ｎと，前記誤り判定部により誤りがあると判定された通信単位の受信データの個数Ｍとをあらかじめ定められた測定周期ごとに計測し，前記個数Ｎの値に応じて決定される前記目標電力閾値の変更の判定基準値と前記個数Ｍの値との比較結果，または，前記判定基準値と前記個数Ｎ及びＭの値との比較結果に基づいて前記目標電力閾値を変更する目標制御部と，
を備えている電力制御装置。
【請求項２】
請求項１において，
前記判定基準値が，前記個数Ｍの値と比較される閾値であり，
前記目標制御部は，前記個数Ｍの値が前記閾値よりも大きい場合には，前記目標電力閾値を上げるように制御し，前記個数Ｍの値が前記閾値よりも小さい場合には，前記目標電力閾値を下げるように制御する，
電力制御装置。
【請求項３】
請求項２において，
前記閾値が，個数Ｎの各値に対して複数個設けられ，
前記目標制御部は，該複数個の閾値にそれぞれ対応した，前記目標電力閾値の変更の大きさを表す値を有するとともに，前記個数Ｍの値に対応する閾値を決定し，該決定された閾値に対応した前記変更の大きさを表す値に従って前記目標電力閾値を変更する，
電力制御装置。
【請求項４】
請求項１において，
前記判定基準値が，受信された通信単位のうちの，誤りがあると判定された通信単位の割合の目標値を示す目標誤り率であり，
前記目標制御部は，前記個数Ｍの値を前記個数Ｎの値により除算した誤り率と前記目標誤り率とを比較し，前記誤り率が前記目標誤り率よりも大きい場合には，前記目標電力閾値を上げるように制御し，前記誤り率が前記目標誤り率よりも小さい場合には，前記目標電力閾値を下げるように制御する，
電力制御装置。
【請求項５】
移動局と，該移動局と通信を行う基地局との間に設定される無線通信路を介して送信される信号の送信電力を目標電力閾値に対応するように制御する電力制御装置であって，
前記無線通信路上を一定の長さの通信単位ごとに送信される通信データを受信し，該通信データに誤りがあるかどうかを前記通信単位ごとに判定する誤り判定部と，
前記通信単位の長さを時間により表した値を，受信された通信単位のうち，前記誤り判定部により誤りがあると判定された通信単位の割合の目標値を示す目標誤り率により除算した値を測定周期とし，該測定周期ごとに前記誤り判定部により誤りと判定された通信単位の個数を計測し，前記個数が１以上であるときは，前記目標電力閾値を上げるように制御し，前記個数が０であるときは，前記目標電力閾値を下げるように制御する目標制御部と，
を備えている電力制御装置。
【請求項６】
移動局と，該移動局と通信を行う基地局との間に設定される無線通信路を介して送信される信号の送信電力を目標電力閾値に対応するように制御する電力制御装置であって，
通信路の設定後，通信路上に一定の長さの通信単位を連続的に形成して送信し続ける第１の無線通信路上の通信データを受信し，該通信データに誤りがあるかどうかを前記通信単位ごとに判定する第１の誤り判定部と，
通信路の設定後，通信データがある場合に前記一定の長さの通信単位を通信路上に形成して送信する第２の無線通信路上の通信データを受信し，該通信データに誤りがあるかどうかを前記通信単位ごとに判定する第２の誤り判定部と，
前記第１の誤り判定部により誤りがあると判定された通信単位の個数Ｍ１をあらかじめ定められた測定周期ごとに計測し，該個数Ｍ１の値と，前記目標電力閾値の変更の判定基準となる所定の第１の判定基準値とに基づいて前記目標電力閾値の変更を指示する第１の変更指示部と，
前記第２の通信路を介して受信された通信単位の個数Ｎ２と，前記第２の誤り判定部により誤りがあると判定された通信単位の個数Ｍ２とを前記測定周期ごとに計測し，前記個数Ｎ２の値に応じて決定される前記目標電力閾値の変更の判定基準値と前記個数Ｍ２の値との比較結果，または，前記目標電力閾値の変更の判定基準値と前記個数Ｎ２及び個数Ｍ２の値との比較結果に基づいて前記目標電力閾値の変更を指示する第２の変更指示部と，
前記第１の変更指示部および前記第２の変更指示部の各指示に基づいて前記目標電力閾値を変更する目標設定部と，
を備えている電力制御装置。
【請求項７】
請求項６において，
前記第１の変更指示部および前記第２の変更指示部の各指示が前記目標電力閾値を上げる指示または下げる指示であり，
前記目標電力設定部は，前記第１の変更指示部の指示および前記第２の変更指示部の指示の少なくとも一方が前記目標電力閾値を上げる指示である場合には，前記目標電力閾値を上げ，双方の指示が前記下げる指示である場合には，前記目標電力閾値を下げる，
電力制御装置。
【請求項８】
請求項６において，
前記目標設定部が，前記第１の変更指示部または前記第２の変更指示部の一方の指示に従って前記目標電力閾値を変更する，
電力制御装置。
【請求項９】
移動局と，該移動局と通信を行う基地局との間に設定される無線通信路を介して送信される信号の送信電力を目標電力閾値に対応するように制御する電力制御方法であって，
前記無線通信路上を一定の長さの通信単位ごとに送信される通信データを受信し，該通信データに誤りがあるかどうかを前記通信単位ごとに判定し，
前記受信された通信単位の受信データの個数Ｎと，前記誤り判定部により誤りがあると判定された通信単位の受信データの個数Ｍとをあらかじめ定められた測定周期ごとに計測し，
前記個数Ｎの値に応じて決定される前記目標電力閾値の変更の判定基準となる判定基準値と前記個数Ｍの値との比較結果，又は，前記判定基準値と前記Ｎ及びＭの値に基づいて前記目標電力閾値を変更する，
電力制御方法。
【請求項１０】
移動局と，該移動局と通信を行う基地局との間に設定される無線通信路を介して送信される信号の送信電力を目標電力閾値に対応するように制御する電力制御方法であって，
通信路の設定後，通信路上に一定の長さの通信単位を連続的に形成して送信し続ける第１の無線通信路上の通信データを受信し，該通信データに誤りがあるかどうかを前記通信単位ごとに判定する第１の誤り判定を行い，
通信路の設定後，通信データがある場合に前記一定の長さの通信単位を通信路上に形成して送信する第２の無線通信路上の通信データを受信し，該通信データに誤りがあるかどうかを前記通信単位ごとに判定する第２の誤り判定を行い，
前記第１の誤り判定により誤りがあると判定された通信単位の個数Ｍ１をあらかじめ定められた測定周期ごとに計測し，該個数Ｍ１の値と，前記目標電力閾値の変更の判定基準となる所定の第１の判定基準値とに基づいて前記目標電力閾値の変更を指示し，
前記第２の通信路を介して受信された通信単位の個数Ｎ２と，前記第２の誤り判定により誤りがあると判定された通信単位の個数Ｍ２とを前記測定周期ごとに計測し，前記個数Ｎ２の値に応じて決定される前記個数Ｎの値に応じて決定される前記目標電力閾値の変更の判定基準値と前記個数Ｍの値との比較結果に基づいて前記目標電力閾値の変更を指示し，
前記各指示に基づいて前記目標電力閾値を変更する，
電力制御方法。
【請求項１１】

移動局から基地局に無線通信路を介して送信される信号の送信電力の目標電力閾値調整する基地局であって，
前記移動局から前記無線通信路上を一定の長さの通信単位ごとに送信される通信データを受信し，該通信データに誤りがあるかどうかを前記通信単位ごとに判定する誤り判定部と，
前記受信された通信単位の受信データの個数Ｎと，前記誤り判定部により誤りがあると判定された通信単位の受信データの個数Ｍとをあらかじめ定められた測定周期ごとに計測し，前記個数Ｎの値に応じて決定される前記目標電力閾値の変更の判定基準値と前記個数Ｍの値との比較結果，または，前記判定基準値と前記個数Ｎ及びＭの値との比較結果に基づいて前記目標電力閾値を変更する目標制御部と，
を備えている基地局。
【請求項１２】
基地局に無線通信路を介して信号を送信する移動局であって，
前記基地局に送信する信号の送信電力を，前記基地局から受信した前記送信電力の目標電力閾値に従って制御するように構成され，
前記目標電力閾値は，前記基地局において，前記無線通信路上を一定の長さの通信単位ごとに送信される通信データを前記移動局から受信し，前記通信データに誤りがあるかどうかを前記通信単位ごとに判定し，前記受信された通信単位の受信データの個数Ｎと，前記誤り判定により誤りがあると判定された通信単位の受信データの個数Ｍとをあらかじめ定められた測定周期ごとに計測し，前記個数Ｎの値に応じて決定される前記目標電力閾値の変更の判定基準値と前記個数Ｍの値との比較結果，または，前記判定基準値と前記個数Ｎ及びＭの値との比較結果に基づいて変更される，
ことを特徴とする移動局。
【請求項１３】
基地局から移動局に無線通信路を介して送信される信号の送信電力の目標電力閾値調整する移動局であって，
前記基地局から前記無線通信路上を一定の長さの通信単位ごとに送信される通信データを受信し，該通信データに誤りがあるかどうかを前記通信単位ごとに判定する誤り判定部と，
前記受信された通信単位の受信データの個数Ｎと，前記誤り判定部により誤りがあると判定された通信単位の受信データの個数Ｍとをあらかじめ定められた測定周期ごとに計測し，前記個数Ｎの値に応じて決定される前記目標電力閾値の変更の判定基準値と前記個数Ｍの値との比較結果，または，前記判定基準値と前記個数Ｎ及びＭの値との比較結果に基づいて前記目標電力閾値を変更する目標制御部と，
を備えている移動局。
【請求項１４】
移動局に無線通信路を介して信号を送信する基地局であって，
前記移動局に送信する信号の送信電力を，前記移動局から受信した前記送信電力の目標電力閾値に従って制御するように構成され，
前記目標電力閾値は，前記移動局において，前記無線通信路上を一定の長さの通信単位ごとに送信される通信データを前記基地局から受信し，前記通信データに誤りがあるかどうかを前記通信単位ごとに判定し，前記受信された通信単位の受信データの個数Ｎと，前記誤り判定により誤りがあると判定された通信単位の受信データの個数Ｍとをあらかじめ定められた測定周期ごとに計測し，前記個数Ｎの値に応じて決定される前記目標電力閾値の変更の判定基準値と前記個数Ｍの値との比較結果，または，前記判定基準値と前記個数Ｎ及びＭの値との比較結果に基づいて変更される，
ことを特徴とする基地局。
【発明の詳細な説明】
【０００１】
【発明の属する技術分野】
本発明は，移動通信システムにおける移動局と基地局との間の無線通信路を介して送信される信号の送信電力を制御する電力制御装置および電力制御方法に関し，具体的には，移動局と，該移動局と通信を行う基地局との間に設定される無線通信路を介して送信される信号の送信電力の目標となる目標電力値を調整することにより送信電力を制御する電力制御装置および電力制御方法に関する。
【０００２】
【従来の技術】
符号分割多元接続（ＣＤＭＡ：Code Division Multiple Access）方式の移動通信システムとして，cdmaOne方式の移動通信システムが既に実用化され，今後，より広帯域のcdma2000方式の移動通信システムも実用化される予定である。
【０００３】
このＣＤＭＡ方式においては，同一周波数帯域を複数の移動局（携帯電話，自動車電話等）が使用するので，移動局の多重数を増加させるためには，移動局相互間での干渉電力を低減する必要がある。このため，移動局の送信電力を適正な値に制御する電力制御が行われている。
【０００４】
この電力制御には，閉ループ（Closed Loop）電力制御と外部ループ（Outer Loop）電力制御とがある。
【０００５】
閉ループ電力制御は，基地局が，移動局から送信されるパイロット・チャネルまたは基本チャネル（Fundamental Channel）の送信電力を測定し，この送信電力とあらかじめ定められた目標電力閾値（目標電力値）とを比較して，送信電力が目標電力閾値になる，または，近づくように，移動局の送信電力を制御するものである。基地局から移動局へは，送信電力の上げ／下げを指示する電力制御ビットが送信され，移動局は，送信された電力制御ビットに従って送信電力の上げ／下げを行う。
【０００６】
一方，外部ループ電力制御は，基地局または基地局制御装置が，移動局から基本チャネルを介して送信されたフレームの誤り率（ＦＥＲ：Frame Error Rate）を計算し，この計算されたＦＥＲとあらかじめ定められた目標ＦＥＲ値（固定値）とを比較して，ＦＥＲが目標ＦＥＲ値になる，または，近づくように，目標電力閾値を変更（上げ／下げを調整）するものである。目標電力閾値が変更されると，変更された目標電力閾値に基づいて，閉ループ電力制御が行われる。
【０００７】
基本チャネルは，基本的には，連続的なデータである通話音声データを運ぶチャネルとして設けられている。したがって，基本チャネル上には，一定の長さのフレームと呼ばれる通信単位が常に形成され，このフレームを単位としてデータが送信される。無音状態であっても，無音データを運ぶフレームが基本チャネルに形成され，送信される。たとえば，cdmaOne方式においては，２０ミリ［秒］の長さのフレームが基本チャネルに連続して形成される。
【０００８】
したがって，従来の外部ループ電力制御では，まず，たとえば一定の測定周期Ｔ＝２［秒］単位で，Ｎ＝１００（＝２［秒］÷２０ミリ［秒］）個のフレームを受信し，この中に含まれる，フレーム誤りを有するフレームの個数Ｍがカウントされる。そして，ＦＥＲ＝Ｍ÷Ｎを求めることにより，ＦＥＲが計算される。さらに，計算されたＦＥＲを，たとえば１％に設定された目標ＦＥＲ値と比較することにより，目標電力閾値の変更制御が行われている。
【０００９】
このように，従来の外部ループ電力制御は，チャネル上に常にフレームが形成され，一定の測定周期Ｔ内に受信されるフレーム数が常に一定であることを前提に行われている。
【００１０】
【発明が解決しようとする課題】
しかし，パケット・データのように連続的に送信されないデータを送信するチャネルの場合には，チャネル上にフレームを常に形成する必要はなく，データを送信する場合にのみフレームを形成するのが経済的である。たとえば，cdma2000方式においては，パケット・データのような不連続データを送信するチャネルとして補助チャネルが新たに設けられているが，この補助チャネルは，データを送信する場合にのみフレームが形成される。
【００１１】
このような場合に，従来の外部ループ電力制御では，制御の精度が劣化したり，制御が実質的に機能しなくなるおそれがある。
【００１２】
すなわち，たとえば目標ＦＥＲ値を１％とすると，１％の精度を出すためには，少なくとも１００個のフレームを受信して，ＦＥＲを計算する必要がある。しかし，補助チャネルでは，測定周期Ｔ＝２［秒］内に１００個のフレームを受信するとは限らない。このような場合に，１００個よりも少ない個数のフレームでＦＥＲを計算し，目標ＦＥＲと比較すると，制御の精度の劣化につながる。
【００１３】
また，たとえば１００個のフレームを受信するために数分，数十分等の時間を要すると，その間，外部ループ電力制御が機能しないこととなる。さらに，移動局の通信終了までに，１００個のフレームが受信されないおそれもあり，この場合には，外部ループ電力制御が行われないこととなる。
【００１４】
本発明は，このような状況に鑑みなされたものであり，その目的は，パケット・データのような不連続的なデータを送信するチャネルであっても，その送信電力の制御を適切に行うことにある。
【００１５】
【課題を解決するための手段】
前記目的を達成するために，本発明の第１の側面によると，電力制御装置は，移動局と，該移動局と通信を行う基地局との間に設定される無線通信路を介して送信される信号の送信電力の目標となる目標電力値を調整することにより前記送信電力を制御する電力制御装置であって，前記無線通信路上を一定の長さの通信単位ごとに送信される通信データを受信し，該通信データに誤りがあるかどうかを前記通信単位ごとに判定する誤り判定部と，前記受信された通信単位の個数Ｎと，前記誤り判定部により誤りがあると判定された通信単位の個数Ｍとをあらかじめ定められた測定周期ごとに計測し，前記個数Ｎの値に応じて決定される，前記目標電力値の変更の判定基準となる判定基準値と，前記個数Ｍの値，または，前記個数ＮおよびＭの値とに基づいて前記目標電力値を変更する目標電力制御部と，を備えている。
【００１６】
本発明の第１の側面によると，無線通信路上を一定の長さの通信単位ごとに送信される通信データが受信され，該通信データに誤りがあるかどうかが通信単位ごとに判定される。そして，受信された通信単位の個数Ｎと，誤り判定部により誤りがあると判定された通信単位の個数Ｍとが，あらかじめ定められた測定周期ごとに計測される。そして，個数Ｎの値に応じて決定される，目標電力値の変更の判定基準となる判定基準値と，個数Ｍの値，または，個数ＮおよびＭの値とに基づいて目標電力値が変更される。
【００１７】
本発明の第１の側面によると，目標電力値の変更の判定基準となる判定基準値が受信された通信単位の個数Ｎに応じて決定される。したがって，パケット・データのような不連続的なデータを送信する通信路のように，測定周期ごとに受信される通信単位が変化する場合であっても，個数Ｎに応じた電力制御を行うことができる。また，判定基準値を個数Ｎに応じて適切な値に設定しておくことにより，個数Ｎが変化しても，送信電力の制御を適切に行うことができる。
【００１８】
本発明の第２の側面によると，電力制御装置は，移動局と，該移動局と通信を行う基地局との間に設定される無線通信路を介して送信される信号の送信電力の目標となる目標電力値を調整することにより前記送信電力を制御する電力制御装置であって，前記無線通信路上を一定の長さの通信単位ごとに送信される通信データを受信し，該通信データに誤りがあるかどうかを前記通信単位ごとに判定する誤り判定部と，前記通信単位の長さを時間により表した値を，受信された通信単位のうち，前記誤り判定部により誤りがあると判定された通信単位の割合の目標値を示す目標誤り率により除算した値を測定周期とし，該測定周期ごとに前記誤り判定部により誤りと判定された通信単位の個数を計測し，前記個数が１以上であるときは，前記目標電力値を上げるように制御し，前記個数が０であるときは，前記目標電力値を下げるように制御する目標電力制御部と，を備えている。
【００１９】
本発明の第２の側面によると，測定周期を目標誤り率に応じて短くすることができる。したがって，電力制御（目標電力値の変更）の時間間隔を短くすることができ，その結果，送信電力の変化に対して迅速に対応することができ，電力制御のレスポンスを速くすることができる。
【００２０】
本発明の第３の側面によると，電力制御装置は，移動局と，該移動局と通信を行う基地局との間に設定される無線通信路を介して送信される信号の送信電力の目標となる目標電力値を調整することにより前記送信電力を制御する電力制御装置であって，通信路の設定後，通信路上に一定の長さの通信単位を連続的に形成して送信し続ける第１の無線通信路上の通信データを受信し，該通信データに誤りがあるかどうかを前記通信単位ごとに判定する第１の誤り判定部と，通信路の設定後，通信データがある場合に前記一定の長さの通信単位を通信路上に形成して送信する第２の無線通信路上の通信データを受信し，該通信データに誤りがあるかどうかを前記通信単位ごとに判定する第２の誤り判定部と，前記第１の誤り判定部により誤りがあると判定された通信単位の個数Ｍ１をあらかじめ定められた測定周期ごとに計測し，該個数Ｍ１の値と，前記目標電力値の変更の判定基準となる所定の第１の判定基準値とに基づいて前記目標電力値の変更を指示する第１の変更指示部と，前記第２の通信路を介して受信された通信単位の個数Ｎ２と，前記第２の誤り判定部により誤りがあると判定された通信単位の個数Ｍ２とを前記測定周期ごとに計測し，前記個数Ｎ２の値に応じて決定される，前記目標電力値の変更の判定基準となる第２の判定基準値と，前記個数Ｍ２の値，または，前記個数Ｎ２およびＭ２の値とに基づいて前記目標電力値の変更を指示する第２の変更指示部と，前記第１の変更指示部および前記第２の変更指示部の各指示に基づいて前記目標電力を変更する目標電力設定部と，を備えている。
【００２１】
本発明の第３の側面によっても，目標電力値の変更の判定基準となる第２の判定基準値が受信された通信単位の個数Ｎ２に応じて決定される。したがって，測定周期ごとに受信される通信単位が変化する場合であっても，個数Ｎ２に応じた電力制御を行うことができる。また，第２の判定基準値を個数Ｎ２に応じて適切な値に設定しておくことにより，個数Ｎ２が変化しても，送信電力の制御を適切に行うことができる。
【００２２】
なお，「無線通信路」は，移動局から基地局へ向かう通信路であってもよいし，基地局から移動局に向かう通信路であってもよい。
【００２３】
【発明の実施の形態】
１．第１の実施の形態
１．１．システム構成
図１および図２は，本発明による第１の実施の形態の移動通信システムの一部を示すブロック図であり，一例として，cdma2000方式の移動通信システムの一部を示している。
【００２４】
この移動通信システムには，携帯電話，自動車電話等の移動局／加入者装置（ＭＳ／ＳＵ：Mobile Station/Subscriber Unit）１と，ＭＳ／ＳＵ１と通信する基地局（ＢＴＳ：Base Station Transceiver Subsystem）２と，ＢＴＳ２を制御する基地局制御装置（ＢＳＣ：Base Station Controller）３とが設けられている。図１はＢＴＳ２およびＢＳＣ３を詳細に示すブロック図であり，図２はＭＳ／ＳＵ１を詳細に示すブロック図である。
【００２５】
ＭＳ／ＳＵ１とＢＴＳ２との間には，無線通信路として，ＭＳ／ＳＵ１からＢＴＳ２に向かう上り（リバース）方向のチャネルと，ＢＴＳ２からＭＳ／ＳＵ１に向かう下り（フォワード）方向のチャネルとが設定される。
【００２６】
上り方向のチャネルには，上り基本チャネル（Ｒ−Ｆｃｈ：Reverse Fundamental channel）１４と，上り補助チャネル（Ｒ−Ｓｃｈ：Reverse Supplemental channel）１５と，上りパイロット・チャネル（Ｒ−ＰＩｃｈ：Reverse PIlot channel）１３とが含まれる。
【００２７】
下り方向のチャネルには，下り基本チャネル（Ｆ−Ｆｃｈ：Forward Fundamental channel）１１と，下り補助チャネル（Ｆ−Ｓｃｈ：Forward Supplemental channel）１２とが含まれる。
【００２８】
また，上り方向および下り方向ともに，図示しない個別制御チャネル（ＤＣｃｈ：Dedicated Control Channel）が含まれる。
【００２９】
ＢＴＳ２とＢＳＣ３との間にも，同様にして，Ｒ−Ｆｃｈ１８と，Ｒ−Ｓｃｈ１９と，Ｆ−Ｆｃｈ１６と，Ｆ−Ｓｃｈ１７と，図示しないＲ−ＤＣｃｈおよびＦ−ＤＣｃｈとが含まれる。
【００３０】
基本チャネル（Ｆｃｈ）は，従来のcdmaOne方式の移動通信システムにも設けられていた比較的低速のチャネル（９．６ｋ［ｂｐｓ］）であり，cdma2000方式の移動通信システムにおいては，通話音声データまたは制御データの通信に利用される。一方，補助チャネル（Ｓｃｈ）は，cdma2000方式で新たに追加された比較的高速のチャネル（９．６×ｎ［ｂｐｓ］：ｎ＝１，２，４，８，…）であり，パケット・データのような不連続なデータ（ユーザ・データ）の通信に利用される。パイロット・チャネルは，パイロット信号の通信に利用される。
【００３１】
Ｆｃｈが設定されると，このFｃｈには，従来のcdmaOne方式と同様に，通話音声データや制御データの有無に関わらず，常に一定の長さＬ１（たとえば２０ミリ［秒］の長さ）を有するフレームが通信単位として設けられる。一方，Ｓｃｈには，データが送信される場合には，チャネル上に一定の長さＬ２（通常はＬ１＝Ｌ２で，たとえば２０ミリ［秒］の長さ）のフレームが設けられ，このフレームによりデータが送信されるが，送信データがない場合には，フレームが設けられない。
【００３２】
図１を参照して，ＢＴＳ２は，ビット付与部２０と，送信電力制御部２１および２２と，目標電力設定部２３と，受信電力測定部２４と，ＣＲＣ判定部２５および２７と，復号部２６および２８と，ビット抽出部２９とを有する。ＢＳＣ３は，ＦＥＲ判定部３１および３２を有する。
【００３３】
ＭＳ／ＳＵ１から，Ｒ−ＰＩｃｈ１３，受信電力測定部２４，ビット付与部２０，およびＦ−Ｆｃｈ１１を介して，ＭＳ／ＳＵ１へ戻るループ状の電力制御が，Ｒ−ＰＩｃｈ１３，Ｒ−Ｆｃｈ１４およびＲ−Ｓｃｈ１５の送信電力を制御する閉ループ電力制御を形成している。
【００３４】
また，ＭＳ／ＳＵ１から，Ｒ−Ｆｃｈ１４およびＲ−Ｓｃｈ１５，復号部２６および２８，ＣＲＣ判定部２５および２７，Ｒ−Ｆｃｈ１８およびＲ−Ｓｃｈ１９，ＦＥＲ測定部３１および３２，目標電力設定部２３，受信電力測定部２４，ビット付与部２０，ならびにＦ−Ｆｃｈ１１を介して，ＭＳ／ＳＵ１に戻るループ状の電力制御が，Ｒ−ＰＩｃｈ１３，Ｒ−Ｆｃｈ１４およびＲ−Ｓｃｈ１５の送信電力を制御する外部ループ電力制御を形成している。
【００３５】
図２を参照して，ＭＳ／ＳＵ１は，ビット付与部５０と，復号部５１および５２と，ＣＲＣ判定部５３および５４と，ＦＥＲ測定部５５および５６と，目標電力設定部５７と，受信電力測定部５８と，送信電力制御部５９，６０および６１と，ビット抽出部６２とを有する。
【００３６】
ＢＴＳ２から，Ｆ−Ｆｃｈ１１，受信電力測定部５８，ビット付与部５０，およびＲ−ＰＩｃｈ１３を介して，ＢＴＳ２へ戻るループ状の電力制御が，Ｆ−Ｆｃｈ１１およびＦ−Ｓｃｈ１２の送信電力を制御する閉ループ電力制御を形成している。
【００３７】
また，ＢＴＳ２から，Ｆ−Ｆｃｈ１１およびＦ−Ｓｃｈ１２，復号部５１および５２，ＣＲＣ判定部５３および５４，ＦＥＲ測定部５５および５６，目標電力設定部５７，受信電力測定部５８，ビット付与部５０，ならびにＲ−ＰＩｃｈ１３を介して，ＢＴＳ２に戻るループ状の電力制御が，Ｆ−Ｆｃｈ１１およびＦ−Ｓｃｈ１２の送信電力を制御する外部ループ電力制御を形成している。
【００３８】
以下では，まず閉ループ電力制御について説明し，その後，外部ループ電力制御について説明する。
【００３９】
１．２．閉ループ電力制御
Ｒ−ＰＩｃｈ１３，Ｒ−Ｆｃｈ１４およびＲ−Ｓｃｈ１５の送信電力の閉ループ電力制御について説明する。
【００４０】
ＢＴＳ２の受信電力測定部２４には，目標電力設定部２３により，目標電力閾値（目標電力値，Target Ec/10）ＰTがあらかじめ設定されている。この目標電力閾値ＰTは，目標電力設定部２３により変更（調整）され得るが，この変更については，後の外部ループ電力制御において詳述する。
【００４１】
また，受信電力測定部２４には，ＭＳ／ＳＵ１からＲ−ＰＩｃｈ１３を介してパイロット信号が入力される。受信電力測定部２４は，入力されたパイロット信号の信号電力Ｐを測定し，測定された信号電力Ｐと目標電力閾値ＰTとを比較する。パイロット信号の受信電力を測定するのは，cdma2000方式では，Ｒ−ＰＩｃｈ１３の信号電力と，Ｒ−Ｆｃｈ１４の信号電力およびＲ−Ｓｃｈ１５の信号電力とは比例関係にあり，Ｒ−ＰＩｃｈ１３の信号電力を測定することにより，Ｒ−Ｆｃｈ１４の信号電力およびＲ−Ｓｃｈ１５の信号電力も知ることができるからである。
【００４２】
なお，本実施の形態では，前述したように，cdma2000方式を例にとっているので，Ｒ−ＰＩｃｈ１３の信号電力を使用しているが，他の方式においては，受信電力測定部２４に，Ｒ−Ｆｃｈ１４またはＲ−Ｓｃｈ１５を入力し，入力された信号電力とこれらの各ｃｈ用に設けられた目標電力閾値とを比較して，信号電力を制御することもできる。
【００４３】
受信電力測定部２４は，比較の結果，Ｐ＞ＰTならば，電力制御ビットとしてダウン・ビットをＦ−Ｆｃｈ上のデータ（ユーザ・データ）に付与するようにビット付与部２０に指令し，Ｐ＜ＰTならば，電力制御ビットとしてアップ・ビットを付与するようにビット付与部２０に指令する。Ｐ＝ＰTならば，これらの指令は行われないか，あるいは，いずれのビットも付与しない指令がビット付与部２０に与えられる。
【００４４】
ビット付与部２０は，受信電力測定部２４からの指令に従って，アップ・ビットまたはダウン・ビットをＦ−Ｆｃｈ１１のデータに付与し，ＭＳ／ＳＵ１に送信する。
【００４５】
ＭＳ／ＳＵ１では，Ｆ−Ｆｃｈ１１のデータに付与された電力制御ビットが，ビット抽出部６２により抽出される。抽出された電力制御ビットは，送信電力制御部５９，６０および６１に与えられる。
【００４６】
送信電力制御部５９，６０および６１は，与えられた電力制御ビットがダウン・ビットである場合には，あらかじめ設定された減少量の分，Ｒ−ＰＩｃｈ１３，Ｒ−Ｆｃｈ１４およびＲ−Ｓｃｈ１５の各送信電力を減少させ，アップ・ビットである場合には，あらかじめ設定された増加量の分，Ｒ−ＰＩｃｈ１３，Ｒ−Ｆｃｈ１４およびＲ−Ｓｃｈ１５の各送信電力を増加させる。
【００４７】
このようにして，閉ループ電力制御が行われ，Ｒ−ＰＩｃｈ１３，Ｒ−Ｆｃｈ１４およびＲ−Ｓｃｈ１５の各送信電力は目標電力閾値ＰTに等しくなる，または，近づくように制御される。この閉ループ電力制御は，cdma2000方式では，たとえば１秒間に８００回実行される。
【００４８】
Ｆ−Ｆｃｈ１１およびＦ−Ｓｃｈ１２の送信電力の閉ループ電力制御についても，受信電力測定部２４と同様の処理を行う受信電力測定部５８と，ビット付与部２０と同様の処理を行うビット付与部５０と，電力制御ビットを運ぶＲ−ＰＩｃｈ１３と，ビット抽出部６２と同様の処理を行うビット抽出部２９と，送信電力制御部５９，６０および６１と同様の処理を行う送信電力制御部２１および２２とによって同様に行われる。
【００４９】
また，ＤＣｃｈについても，ＤＣｃｈ用の送信電力制御部を設け，この送信電力制御部にビット抽出部２９または６２から電力制御ビットを与えることにより，同様の閉ループ電力制御を行うことができる。
【００５０】
１．３．外部ループ電力制御
Ｒ−ＰＩｃｈ１３，Ｒ−Ｆｃｈ１４およびＲ−Ｓｃｈ１５の送信電力の外部ループ電力制御について説明する。
【００５１】
ＭＳ／ＳＵ１からＲ−Ｆｃｈ１４により送信されたデータは復号部２６に，Ｒ−Ｓｃｈにより送信されたデータは復号部２８に，それぞれ入力される。復号部２６および２８は，入力されたデータを復号し，復号データをＣＲＣ（Cyclic Redundancy Check）判定部２５および２７にそれぞれ与える。
【００５２】
ＣＲＣ判定部２５および２７は，復号部２６および２８からそれぞれ受信したＲ−Ｆｃｈ１４およびＲ−Ｓｃｈ１５の各復号データのＣＲＣをフレームごとに検査し，検査したＣＲＣに基づいて，フレーム内の通信データに誤り（フレーム誤り）があるかどうかを判定する。ＣＲＣ判定部２５および２７は，各判定結果を各復号データとともに，それぞれＲ−Ｆｃｈ１８およびＲ−Ｓｃｈ１９を介してＢＳＣ３のＦＥＲ測定部３１および３２に与える。
【００５３】
ＦＥＲ測定部３１は，ＣＲＣ判定部２５の判定結果に基づいて，Ｒ−Ｆｃｈ１４のフレーム誤り率（ＦＥＲ：Frame Error Rate）を測定する。ここで，Ｒ−Ｆｃｈ１４には，前述したように，一定の長さＬ１のフレームが存在する。したがって，ＦＥＲ測定部３１は，一定の測定周期Ｔで，一定数（受信フレーム数）Ｎのフレームを受信することとなる。たとえば，測定周期Ｔ＝２［秒］，フレームの長さＬ１＝２０ミリ［秒］の場合には，ＦＥＲ測定部３１は，測定周期Ｔ＝２［秒］ごとに，Ｎ＝２÷０．０２＝１００［個］のフレームを受信する。
【００５４】
ＦＥＲ測定部３１は，ＣＲＣ判定部２５の判定結果に基づいて，この受信フレーム数Ｎの中に含まれる，フレーム誤りを有するフレーム（以下「ＮＧフレーム」という。）の個数（ＮＧフレーム数）Ｍをカウントし，
ＦＥＲ＝Ｍ÷Ｎ  …（１）
の計算式によりＦＥＲを測定する。
【００５５】
ＦＥＲ測定部３１には，目標ＦＥＲ値（たとえば１％）があらかじめ設定されている。ＦＥＲ測定部３１は，計算式（１）により求められたＦＥＲと目標ＦＥＲ値とを比較する。ＦＥＲ測定部３１は，比較の結果，ＦＥＲが目標ＦＥＲ値より大きいならば，目標電力閾値ＰTを上げる指示を，ＦＥＲが目標ＦＥＲ値より小さいならば，目標電力閾値ＰTを下げる指示を，Ｆ−Ｆｃｈ１６を介して目標電力設定部２３にそれぞれ送信する。ＦＥＲが目標ＦＥＲ値と等しいならば，目標電力閾値ＰTの上げ／下げのいずれの指示も送信されないか，あるいは，目標電力閾値ＰTを現在の値に維持する指示が送信される。
【００５６】
一方，Ｒ−Ｓｃｈ１５には，データ（パケット・データ）が送信される場合にはフレームが形成されるが，送信されない場合にはフレームは形成されない。したがって，ＦＥＲ測定部３２が測定周期Ｔ内に受信する受信フレーム数Ｎは一定とはならない。このように受信フレーム数Ｎが一定でない場合であっても電力制御の精度を落とさないために，ＦＥＲ測定部３２は，目標電力閾値の上げ／下げの制御を受信フレーム数Ｎに応じて行うように構成されている。
【００５７】
たとえば，ＦＥＲ測定部３２には，受信フレーム数Ｎに応じて，目標電力閾値の上げ／下げの基準となるＮＧフレーム数Ｍの閾値（ＮＧ閾値）が設定されている。図３は，受信フレーム数ＮとＮＧ閾値との関係を示すテーブルである。同図（Ａ）は，受信フレーム数ＮとＮＧ閾値との一般的な関係を示すテーブルであり，同図（Ｂ）は，具体的な数値に基づくテーブルである。
【００５８】
ここで，「受信フレーム数Ｎ」は，前述したように測定周期Ｔにおいて，受信されるフレーム数である。「ＮＧ閾値」は，受信フレーム数Ｎに含まれるＮＧフレーム数Ｍと比較される閾値である。なお，ＦＥＲ測定部３２の測定周期Ｔは，ＦＥＲ測定部３１のそれと同期していることが好ましい。
【００５９】
ＮＧフレームＭがＮＧ閾値より大きい場合には目標電力閾値ＰTを上げる指示が，ＮＧフレーム数ＭがＮＧ閾値より小さい場合には目標電力閾値ＰTを下げる指示が，目標電力設定部２３にそれぞれ送信される。両値が等しい場合には，上げ／下げの指示は送信されないか，あるいは，目標電力閾値ＰTを現在の値に維持する指示が送信される。
【００６０】
また，測定周期Ｔ内に受信フレームをまったく受信しない場合もある。その場合には，ＦＥＲ測定部３２は，目標電力設定部２３に，上げ／下げの指示を送信しないか，あるいは，目標電力閾値ＰTを現在の値に維持する指示を送信する。
【００６１】
図３（Ａ）は，たとえば，０＜Ｎ≦Ｎ１の場合には，ＮＧ閾値はＴｈ１に設定され，Ｎ１＜Ｎ≦Ｎ２の場合には，ＮＧ閾値がＴｈ２に設定されることを示している。図３（Ａ）の一例として，図３（Ｂ）は，フレームの長さＬ２＝２０ミリ［秒］で測定周期Ｔ＝２［秒］とし，かつ，受信フレーム数Ｎの各範囲に対する目標ＦＥＲ値を各範囲の最大受信フレーム数の５％（一定）にした場合の例である。たとえば，測定周期Ｔ＝２秒間の受信フレーム数Ｎ≦２０の場合には，そのＮＧ閾値は，最大受信フレーム数Ｎ＝２０の５％である１に設定される。同様にして，２０＜受信フレーム数Ｎ≦４０の場合には，そのＮＧ閾値は，最大受信フレーム数４０の５％である２に設定される。
【００６２】
もちろん，各範囲の目標ＦＥＲ値を一定にせず，異なる値にすることもできる。たとえば，０＜Ｎ≦２０については５％，２０＜Ｎ≦４０については４％，４０＜Ｎ≦６０については３％というように，各範囲において異なる値にすることができる。また，受信フレーム数Ｎの範囲を２０個単位とせずに，各範囲で異なる個数としてもよい。これらの目標ＦＥＲ値および各範囲の個数の具体的な値は，実験，シミュレーション，実際の運用等に基づいて，適切な電力制御が行える値に決定される。さらに，このような受信フレーム数ＮとＮＧ閾値との関係は，図３に示すテーブルとして保持することもできるし，関数式として保持し，受信フレーム数に応じたＮＧ閾値を関数式により計算して求めることもできる。
【００６３】
図４は，ＦＥＲ測定部３２の処理の流れを示すフローチャートである。
【００６４】
ＢＳＣ３が起動等されると，ＦＥＲ測定部３２に設けられた測定周期Ｔを計測するタイマ（測定周期タイマ）がスタートし，また，受信フレーム数ＮおよびＮＧフレーム数Ｍがともにゼロに初期化される（ステップＳ１）。
【００６５】
続いて，ＣＲＣ判定部３７からフレームを受信したかどうかが判定される（ステップＳ２）。フレームを受信した場合には（ステップＳ２で「はい」），受信フレーム数Ｎが１つカウント・アップされ（ステップＳ３），処理はステップＳ４に進む。フレームを受信しない場合には（ステップＳ２で「いいえ」），受信フレーム数Ｎがカウント・アップされることなく，処理はステップＳ６に進む。
【００６６】
ステップＳ４において，ＣＲＣ判定部２７の判定結果に基づいて，受信フレームがＮＧフレームかどうかが判定される。受信フレームがＮＧフレームである場合には（ステップＳ４で「はい」），ＮＧフレーム数Ｍが１つカウント・アップされ（ステップＳ２５），その後，処理はステップＳ６に進む。受信フレームがＮＧフレームでない場合には（ステップＳ４で「いいえ」），ＮＧフレーム数Ｍはカウント・アップされず，処理はステップＳ６に進む。
【００６７】
ステップＳ６において，測定周期Ｔが終了したかどうかが，測定周期タイマに基づいて判定される。例えば，測定周期＝２［秒］ならば，測定周期タイマが２秒になったかどうかが判定される。測定周期が終了していない場合には(ステップＳ６で「いいえ」)，ステップＳ２に戻り，前述したステップＳ２からＳ５の処理が繰り返される。測定周期が終了した場合には（ステップＳ６で「はい」），受信フレーム数Ｎに対応したＮＧ閾値が，図３に示すテーブルから決定される（ステップＳ７）。
【００６８】
続いて，ＮＧフレーム数Ｍと決定されたＮＧ閾値とが比較され（ステップＳ８），ＮＧフレーム数ＭがＮＧ閾値より大きい場合には目標電力閾値ＰTを上げる指示が，ＮＧフレーム数ＭがＮＧ閾値より小さい場合には目標電力閾値ＰTを下げる指示が，目標電力設定部２３にそれぞれ送信される（ステップＳ９）。ＮＧフレーム数ＭがＮＧ閾値と等しい場合には，いずれの指示も送信されないか，あるいは，目標電力閾値ＰTを現在の値に維持する指示が送信される（ステップＳ９）。
【００６９】
続いて，測定周期タイマがゼロにリセットされ，また，受信フレーム数ＮおよびＮＧフレーム数Ｍがともにゼロにリセットされる（ステップＳ１０）。その後，処理はステップＳ２に戻り，上述した処理が繰り返される。
【００７０】
このようにＳｃｈでは，受信フレームＮが一定でないので，受信フレーム数ＮごとにＮＧ閾値を定めて，目標電力閾値の上げ／下げを決定することにより，受信フレーム数Ｎに応じた電力制御が可能となり，電力制御をより正確に，また，精度よく，きめ細かに行うことができる。
【００７１】
図１に戻って，ＢＴＳ２の目標電力設定部２３は，ＢＳＣ３のＦＥＲ測定部３１および３２からの指示に従って，受信電力測定部２４に設定された目標電力閾値ＰTを変更（上げ／下げ（ＵＰ／ＤＯＷＮ））する。目標電力閾値ＰTの変更には，２つの方法がある。第１の方法は，Ｒ−Ｆｃｈ１４およびＲ−Ｓｃｈ１５の双方の通信品質を満足するように変更する方法である。第２の方法は，Ｒ−Ｆｃｈ１４またはＲ−Ｓｃｈ１５の一方の通信品質を満足するように変更する方法である。
【００７２】
（１）第１の方法
図５は，第１の方法による目標電力閾値ＰTの変更方法の一例を示すテーブルである。
【００７３】
Ｆｃｈ用のＦＥＲ測定部３１からの指示およびＳｃｈ用のＦＥＲ測定部３２からの指示の双方またはいずれか一方が「上げる」である場合には，目標電力設定部２３は，目標電力閾値ＰTを上げる。一方，ＦＥＲ測定部３１および３２からの指示の双方が「下げる」である場合には，目標電力設定部２３は，目標電力閾値ＰTを下げる。
【００７４】
「上げる」指示に対する目標電力閾値ＰTの増加分および「下げる」指示に対する減少分は，目標電力設定部２３にあらかじめ設定されている。
【００７５】
このように目標電力閾値ＰTを変更することにより，両ｃｈの通信品質を満足させるように電力制御を行うことができる。
【００７６】
（２）第２の方法
第２の方法では，目標電力設定部２３は，Ｆｃｈ用のＦＥＲ測定部３１からの指示またはＳｃｈ用のＦＥＲ測定部３２からの指示のいずれか一方にのみ従って，目標電力閾値ＰTを変更する。Ｒ−Ｆｃｈ１４の通信品質を満足させる場合には，Ｆｃｈ用のＦＥＲ測定部３１からの指示に従い，Ｓｃｈ用のＦＥＲ測定部３２からの指示は考慮されない。Ｒ−Ｓｃｈ１５の通信品質を満足させる場合には，Ｓｃｈ用のＦＥＲ測定部３２からの指示に従い，Ｆｃｈ用のＦＥＲ測定部３１からの指示は考慮されない。たとえば，Ｒ−Ｓｃｈ１５のパケット・データについては，通信品質が悪くデータに誤りが多い場合であっても再送により対処可能である一方，制御データまたは通話音声データの通信品質を優先したいときは，Ｒ−Ｆｃｈ１４の通信品質を満足させる処置が採用されることとなろう。
【００７７】
このようにすることにより，いずれか一方のチャネルの通信品質を満足させるように，電力制御を行うことができる。
【００７８】
目標電力閾値ＰTが変更されると，受信電力測定部２４は，変更された目標電力閾値ＰTに基づいて，前述した閉ループ電力制御を行うこととなる。
【００７９】
ＦＥＲ測定部３１および３２には，通信が行われる間，次々とフレームが受信されるので，このような目標電力閾値の変更は，変更の必要がある場合には，測定周期Ｔごとに行われる。したがって，測定周期Ｔごとの外部ループ電力制御が繰り返されることとなる。
【００８０】
Ｆ−Ｆｃｈ１１およびＦ−Ｓｃｈ１２の送信電力の外部ループ電力制御についても，復号部２６および２８と同様の処理を行う復号部５１および５２と，ＣＲＣ判定部２５および２７と同様の処理を行うＣＲＣ判定部５３および５４と，ＦＥＲ測定部３１と同様の処理を行うＦＥＲ測定部５５と，ＦＥＲ測定部３２と同様の処理を行うＦＥＲ測定部５６と，目標電力設定部２３と同様の処理を行う目標電力設定部５７とによって同様に行われる。
【００８１】
なお，この外部ループ電力制御に，上り方向のＲ−ＤＣｃｈも考慮する場合には，ＤＣｃｈ用の復号部，ＣＲＣ判定部およびＦＥＲ測定部（ＦＥＲ測定部３２と同様の処理を行う。）が設けられ，このＦＥＲ測定部からの指示が目標電力設定部２３に与えられる。目標電力設定部２３は，３つのＦＥＲ測定部からの指示を総合して，前述した第１の方法または第２の方法により，目標電力閾値ＰTを変更する。
【００８２】
１．４．Ｓｃｈが設定されない場合の処理
Ｓｃｈは，前述したように，比較的高速のパケット・データを通信する場合に使用される。したがって，ＭＳ／ＳＵ１がＦｃｈによる通話音声でのみ通信している場合には，Ｓｃｈは設定されない。たとえば，図６は，図１に示す移動通信システムにおいて，ＢＴＳ２とＭＳ／ＳＵ１との間に，Ｆ−Ｓｃｈ（図１におけるＦ−Ｓｃｈ１２）が設定されていない場合を示している。図６において，図１と同じ構成要素には同じ符号を付し，その説明を省略することとする。
【００８３】
このような場合には，ＢＳＣ３とＢＴＳ２との間に，下り方向のダミーのＦ−Ｓｃｈ４１が設定される。このダミーＦ−Ｓｃｈ４１は，ＦＥＲ測定部３２の指示を目標電力設定部２３に送信するために設定されるものであり，ＭＳ／ＳＵ１に送信されるデータ（ユーザ・データ）を運ぶものではない。したがって，ダミーＦ−Ｓｃｈ４１は，ＢＳＣ３とＢＴＳ２との間にのみ設定され，ＢＴＳ２とＭＳ／ＳＵ１との間には設定されない。
【００８４】
目標電力設定部２３は，Ｆ−Ｆｃｈ１６およびダミーＦ−Ｓｃｈ４１を介して送信された各指示に従って受信電力測定部２４に設定された目標電力閾値ＰTを変更する。
【００８５】
一方，ＭＳ／ＳＵ１では，目標電力設定部５７（図２参照）が，Ｓｃｈ用のＦＥＲ測定部５６からの指示を考慮せず，Ｆｃｈ用のＦＥＲ測定部５５による指示にのみ従って目標電力閾値の変更を行う。
【００８６】
また，図示は省略するが，ＢＴＳ２とＭＳ／ＳＵ１との間にＦ−ＳＣＨ（図１におけるＦ−Ｓｃｈ１２）が設定され，Ｒ−Ｓｃｈ（図１におけるＲ−Ｓｃｈ１５）が設定されない場合もある。この場合には，目標電力設定部２３は，Ｓｃｈ用のＦＥＲ測定部３２からの指示を考慮せず，Ｆｃｈ用のＦＥＲ測定部３１による指示にのみ従って目標電力閾値の変更を行う。ＭＳ／ＳＵ１では，ＦＥＲ測定部５６と目標電力設定部５７とが同じ装置内にあるので，特にダミーのＳｃｈを設定する必要はない。
【００８７】
ＢＴＳ２とＭＳ／ＳＵ１との間に，Ｒ−ＳｃｈおよびＦ−Ｓｃｈの双方が設定されない場合には，ダミーのＦ−Ｓｃｈの設定および目標電力設定部２３および５７がＦＥＲ測定部３２および５６からの各指示を考慮しないことの双方を行うことにより，電力制御が可能である。
【００８８】
このように，Ｓｃｈが設定されない場合であっても，ダミーのＳｃｈを設け，あるいは，Ｓｃｈ用のＦＥＲ測定部からの指示を考慮しないことにより，電力制御を行うことができる。
【００８９】
なお，ＦＥＲ測定部３２がＢＴＳ２内に設けられる場合には，ダミーのＳｃｈは特に設定されない。
【００９０】
２．第２の実施の形態
第１の実施の形態において，ＦＥＲ測定部３２（図１参照）および５６（図２参照）の双方またはいずれか一方に設定される図３のテーブルのＮＧ閾値を目標ＦＥＲ値に置換することもできる。
【００９１】
図７は，受信フレーム数Ｎと目標ＦＥＲ値との関係を示すテーブルである。同図（Ａ）は，受信フレーム数Ｎと目標ＦＥＲ値との一般的な関係を示すテーブルであり，同図（Ｂ）は，具体的な数値に基づくテーブルである。各受信フレーム数Ｎの範囲ごとに，目標ＦＥＲ値が設定される。各範囲に対応する目標ＦＥＲ値は，図７（Ｂ）に示すように異なる値であってもよいし，同じ値であってもよい。具体的な値は，ＮＧ閾値と同様に，実験，シミュレーション，実際の運用等によって決定される。
【００９２】
ＦＥＲ測定部３２（５６）は，図４のフローチャートに示す処理とほぼ同様の処理を行うが，ステップＳ７およびＳ８の処理が異なる。
【００９３】
すなわち，ステップＳ７では，受信フレーム数Ｎに対応した目標ＦＥＲ値が決定される。たとえば，受信フレーム数Ｎが２０以下の場合には５％，受信フレーム数Ｎが２０より大きく４０以下である場合には４％となる。ステップＳ８では，前述した計算式（１）によりＦＥＲが計算され，計算されたＦＥＲと，決定された目標ＦＥＲとが比較される。そして，ＦＥＲが目標ＦＥＲより大きい場合には目標電力閾値ＰTを上げる指示が，ＦＥＲが目標ＦＥＲより小さい場合には目標電力閾値ＰTを下げる指示が，目標電力設定部２３にそれぞれ送信される。両値が等しい場合には，いずれの指示も送信されないか，あるいは，目標電力閾値ＰTを現在の値に維持する指示が送信される。
【００９４】
このような電力制御によっても，電力制御をより正確に，また，精度よく，きめ細かに行うことができる。
【００９５】
３．第３の実施の形態
第１の実施の形態において，ＦＥＲ測定部３２および５６の双方またはいずれか一方に設定される図３に示すテーブルを，図８に示すテーブルのように，ＮＧ閾値を複数設けたテーブルとして構成することもできる。
【００９６】
図８は，ＮＧ閾値を２つまたは３つ設けた場合の，受信フレーム数ＮとＮＧ閾値と目標電力閾値の上げる量（アップ量）および下げる量（ダウン量）との関係を示すテーブルである。同図（Ａ）は，一般的な関係を示すテーブルであり，同図（Ｂ）は，具体的な数値に基づくテーブルである。
【００９７】
図８（Ａ）において，たとえば，０＜Ｎ≦Ｎ１の場合において，ＮＧフレーム数ＭがＮＧ閾値Ｍ11以下であるときは，目標電力閾値ＰTのアップ／ダウン量Ａが選択される。また，ＮＧフレーム数ＭがＮＧ閾値Ｍ11より大きくＭ12以下のときは，目標電力閾値ＰTのアップ／ダウン量Ｂが選択される。アップ／ダウン量のより具体的な値としては，図８（Ｂ）に示すように，目標電力閾値ＰTを相対的に大きく下げる指示「ダウン大」，相対的小さく下げる指示「ダウン小」，相対的小さく上げる指示「アップ小」，相対的大きく上げる指示「アップ大」等を設定することができる。そして，選択された指示が，目標電力設定部２３に送信される。
【００９８】
目標電力設定部２３には，第１の実施の形態における第１の方法または第２の方法により目標電力閾値ＰTを変更することができる。第１の方法により変更される場合には，図５に示す「上げる」を，ＦＥＲ測定部３２（５６）からの指示に従って「アップ大」または「アップ小」とすることもできる。同様にして，「下げる」を「ダウン大」または「ダウン小」とすることもできる。
【００９９】
また，第２の方法が選択され，Ｓｃｈ用のＦＥＲ測定部３２（５６）からの指示にのみ従って目標電力閾値ＰTを変更する場合にも，同様にすることができる。
【０１００】
なお，これら各指示に対して目標電力閾値ＰTをどの程度変化させるかの変化量は，目標電力設定部２３（５７）あらかじめ設定されている。そして，目標電力設定部２３は，受信電力測定部に設定された目標電力閾値ＰTをこの変化量分変化させる。
【０１０１】
これにより，送信電力の制御をよりきめ細かく行うことができ，また，通信状態が急激に変化した場合であっても，送信電力の追従が可能となる。
【０１０２】
４．第４の実施の形態
ＦＥＲ測定部３１および３２の測定周期Ｔを，目標ＦＥＲ値に応じて変更することもできる。たとえば，測定周期Ｔを，
Ｔ＝〔測定周期単位〕÷〔目標ＦＥＲ値［％］〕  …（２）
または，
Ｔ＝〔フレームの長さ［秒］〕÷〔目標ＦＥＲ値〕  …（３）
により定めることもできる。
【０１０３】
「測定周期単位」とは，目標ＦＥＲ値を１％とした場合に，１００フレーム受信するのに必要な時間である。たとえば，cdma2000方式では，１フレームの長さＬ１，Ｌ２が２０ミリ［秒］である。したがって，「測定周期単位」は，２０ミリ［秒］×１００＝２［秒］となる。
【０１０４】
一例として，cdma2000方式において，目標ＦＥＲ値が２％である場合には，前記式（２）から，測定周期Ｔ＝２÷２＝１［秒］となる。あるいは，前記式（３）から，測定周期Ｔは，Ｔ＝２０ミリ［秒］÷０．０２（２％）＝１［秒］によっても求められる。
【０１０５】
ＦＥＲ測定部は，この測定周期Ｔ内にＮＧフレームがなければ目標電力閾値を下げる指示を，ＮＧフレームが１つ以上あれば目標電力閾値を上げる指示を，目標電力設定部に送信する。
【０１０６】
このように，目標ＦＥＲ値に応じて測定周期を短くすることにより，外部ループ電力制御の時間間隔を短くすることができる。その結果，送信電力の変化に対して迅速に対応することができ，電力制御のレスポンスを速くすることができる。
【０１０７】
なお，ＦＥＲ測定部５５および５６の測定周期も同様にして変更することができる。
【０１０８】
５．他の実施の形態
これまでに述べた実施の形態では，図１に示すように，ＦＥＲ測定部３１および３２をＢＳＣ３に設ける例を示したが、これらの双方またはいずれか一方をＢＴＳ２に設けてもよい。
【０１０９】
また，本実施の形態では，上り方向のＲ−ＦｃｈおよびＲ−Ｓｃｈ（ならびにＲ−ＰＩｃｈ）の電力制御を１つの目標電力閾値および１つの電力制御ビットによりまとめて行う例について説明している。これは，cdma2000方式においては，Ｒ−Ｆｃｈ，Ｒ−Ｓｃｈ，およびＲ−ＰＩｃｈの各送信電力が比例関係にあり，あるｃｈの送信電力を上げる一方，他のｃｈの送信電力を下げる等の制御ができないからである。したがって，各ｃｈの送信電力を個別に制御できる場合（たとえば下り方向のＦ−Ｆｃｈ，Ｆ−Ｓｃｈ等の場合）には，各ｃｈの個別の受信電力測定部と，個別の目標電力閾値と，個別の電力制御ビットとを設けることにより，各ｃｈの送信電力を個別に制御（閉ループ電力制御および外部ループ電力制御）することもできる。
【０１１０】
（付記１）  移動局と，該移動局と通信を行う基地局との間に設定される無線通信路を介して送信される信号の送信電力の目標となる目標電力値を調整することにより前記送信電力を制御する電力制御装置であって，
前記無線通信路上を一定の長さの通信単位ごとに送信される通信データを受信し，該通信データに誤りがあるかどうかを前記通信単位ごとに判定する誤り判定部と，
前記受信された通信単位の個数Ｎと，前記誤り判定部により誤りがあると判定された通信単位の個数Ｍとをあらかじめ定められた測定周期ごとに計測し，前記個数Ｎの値に応じて決定される，前記目標電力値の変更の判定基準となる判定基準値と，前記個数Ｍの値，または，前記個数ＮおよびＭの値とに基づいて前記目標電力値を変更する目標電力制御部と，
を備えている電力制御装置。
【０１１１】
（付記２）  付記１において，
前記判定基準値が，前記個数Ｍの値と比較される閾値であり，
前記目標電力制御部は，前記個数Ｍの値が前記閾値よりも大きい場合には，前記目標電力値を上げるように制御し，前記個数Ｍの値が前記閾値よりも小さい場合には，前記目標電力値を下げるように制御する，
電力制御装置。
【０１１２】
（付記３）  付記２において，
前記閾値が，個数Ｎの各値に対して複数個設けられ，
前記目標電力制御部は，該複数個の閾値にそれぞれ対応した，前記目標電力値の変更の大きさを表す値を有するとともに，前記個数Ｍの値に対応する閾値を決定し，該決定された閾値に対応した前記変更の大きさを表す値に従って前記目標電力値を変更する，
電力制御装置。
【０１１３】
（付記４）  付記１において，
前記判定基準値が，受信された通信単位のうちの，誤りがあると判定された通信単位の割合の目標値を示す目標誤り率であり，
前記目標電力制御部は，前記個数Ｍの値を前記個数Ｎの値により除算した誤り率と前記目標誤り率とを比較し，前記誤り率が前記目標誤り率よりも大きい場合には，前記目標電力値を上げるように制御し，前記誤り率が前記目標誤り率よりも小さい場合には，前記目標電力値を下げるように制御する，
電力制御装置。
【０１１４】
（付記５）  移動局と，該移動局と通信を行う基地局との間に設定される無線通信路を介して送信される信号の送信電力の目標となる目標電力値を調整することにより前記送信電力を制御する電力制御装置であって，
前記無線通信路上を一定の長さの通信単位ごとに送信される通信データを受信し，該通信データに誤りがあるかどうかを前記通信単位ごとに判定する誤り判定部と，
前記通信単位の長さを時間により表した値を，受信された通信単位のうち，前記誤り判定部により誤りがあると判定された通信単位の割合の目標値を示す目標誤り率により除算した値を測定周期とし，該測定周期ごとに前記誤り判定部により誤りと判定された通信単位の個数を計測し，前記個数が１以上であるときは，前記目標電力値を上げるように制御し，前記個数が０であるときは，前記目標電力値を下げるように制御する目標電力制御部と，
を備えている電力制御装置。
【０１１５】
（付記６）  付記１から５のいずれか１つにおいて，
前記送信電力が前記目標電力値になる，または，近づくように，該送信電力を制御する電力制御部をさらに備えている電力制御装置。
【０１１６】
（付記７）  移動局と，該移動局と通信を行う基地局との間に設定される無線通信路を介して送信される信号の送信電力の目標となる目標電力値を調整することにより前記送信電力を制御する電力制御装置であって，
通信路の設定後，通信路上に一定の長さの通信単位を連続的に形成して送信し続ける第１の無線通信路上の通信データを受信し，該通信データに誤りがあるかどうかを前記通信単位ごとに判定する第１の誤り判定部と，
通信路の設定後，通信データがある場合に前記一定の長さの通信単位を通信路上に形成して送信する第２の無線通信路上の通信データを受信し，該通信データに誤りがあるかどうかを前記通信単位ごとに判定する第２の誤り判定部と，
前記第１の誤り判定部により誤りがあると判定された通信単位の個数Ｍ１をあらかじめ定められた測定周期ごとに計測し，該個数Ｍ１の値と，前記目標電力値の変更の判定基準となる所定の第１の判定基準値とに基づいて前記目標電力値の変更を指示する第１の変更指示部と，
前記第２の通信路を介して受信された通信単位の個数Ｎ２と，前記第２の誤り判定部により誤りがあると判定された通信単位の個数Ｍ２とを前記測定周期ごとに計測し，前記個数Ｎ２の値に応じて決定される，前記目標電力値の変更の判定基準となる第２の判定基準値と，前記個数Ｍ２の値，または，前記個数Ｎ２およびＭ２の値とに基づいて前記目標電力値の変更を指示する第２の変更指示部と，前記第１の変更指示部および前記第２の変更指示部の各指示に基づいて前記目標電力を変更する目標電力設定部と，
を備えている電力制御装置。
【０１１７】
（付記８）  付記７において，
前記第１の変更指示部および前記第２の変更指示部の各指示が前記目標電力値を上げる指示または下げる指示であり，
前記目標電力設定部は，前記第１の変更指示部の指示および前記第２の変更指示部の指示の少なくとも一方が前記上げる指示である場合には，前記目標電力値を上げ，双方の指示が前記下げる指示である場合には，前記目標電力値を下げる，
電力制御装置。
【０１１８】
（付記９）  付記７において，
前記目標電力設定部が，前記第１の変更指示部または前記第２の変更指示部の一方の指示に従って前記目標電力値を変更する，
電力制御装置。
【０１１９】
（付記１０）  付記７から９のいずれか１つにおいて，
前記第１の無線通信路および前記第２の無線通信路が，前記移動局から前記基地局に通信データを送信する無線通信路であり，
前記第１の誤り判定部，前記第２の誤り判定部および前記目標電力設定部が，前記基地局に設けられ，
前記第１の変更指示部および前記第２の変更指示部が，前記基地局と通信を行う基地局制御装置に設けられ，
前記第１の誤り判定部の判定結果および前記第１の無線通信路の通信データは，前記第１の無線通信路が設定された場合に前記基地局と前記基地局制御装置との間に設定される第３の通信路を介して前記第１の変更指示部に送信され，
前記第２の誤り判定部の判定結果および前記第２の無線通信路の通信データは，前記第２の無線通信路が設定された場合に前記基地局と前記基地局制御装置との間に設定される第４の通信路を介して前記第２の変更指示部に送信され，
前記第１の変更指示部の指示は，前記基地局から前記移動局に通信データを送信する第５の無線通信路が設定された場合に前記基地局と前記基地局制御装置との間に設定される第７の通信路を介して前記目標電力設定部に送信され，
前記第２の変更指示部の指示は，前記基地局から前記移動局に通信データを送信する第６の無線通信路が設定された場合に前記基地局と前記基地局制御装置との間に設定される第８の通信路を介して前記目標電力設定部に送信される，
電力制御装置。
【０１２０】
（付記１１）  付記１０において，
前記第２の変更指示部は，前記第６の無線通信路が設定されていない場合であっても，前記第８の通信路を設定し，該第８の通信路を介して前記指示を前記目標電力設定部に送信する，
電力制御装置。
【０１２１】
（付記１２）  付記１０または１１において，
前記目標電力設定部は，前記第２の無線通信路が設定されない場合には，前記第２の変更指示部からの指示を考慮せず，前記第１の変更指示部からの指示に基づいて前記目標電力を変更する，
電力制御装置。
【０１２２】
（付記１３）  付記７から９のいずれか１つにおいて，
前記第１の無線通信路および前記第２の無線通信路が，前記移動局から前記基地局に通信データを送信する無線通信路であり，
前記第１および第２の誤り判定部，前記第１および第２の変更指示部，ならびに前記目標電力設定部が，前記基地局に設けられている，
電力制御装置。
【０１２３】
（付記１４）  付記７から９のいずれか１つにおいて，
前記第１の無線通信路および前記第２の無線通信路が，前記基地局から前記移動局に通信データを送信する無線通信路であり，
前記第１および第２の誤り判定部，前記第１および第２の変更指示部，ならびに前記目標電力設定部が，前記移動局に設けられている，
電力制御装置。
【０１２４】
（付記１５）  付記７から１４のいずれか１つにおいて，
前記第１および第２の無線通信路の送信電力が前記目標電力値になる，または，近づくように，該送信電力を制御する電力制御部をさらに備えている電力制御装置。
【０１２５】
（付記１６）  移動局と，該移動局と通信を行う基地局との間に設定される無線通信路を介して送信される信号の送信電力の目標となる目標電力値を調整することにより前記送信電力を制御する電力制御方法であって，
前記無線通信路上を一定の長さの通信単位ごとに送信される通信データを受信し，該通信データに誤りがあるかどうかを前記通信単位ごとに判定し，
前記受信された通信単位の個数Ｎと，前記誤り判定部により誤りがあると判定された通信単位の個数Ｍとをあらかじめ定められた測定周期ごとに計測し，
前記個数Ｎの値に応じて決定される，前記目標電力値の変更の判定基準となる判定基準値と，前記個数Ｍの値，または，前記個数ＮおよびＭの値とに基づいて前記目標電力値を変更する，
電力制御方法。
【０１２６】
（付記１７）  移動局と，該移動局と通信を行う基地局との間に設定される無線通信路を介して送信される信号の送信電力の目標となる目標電力値を調整することにより前記送信電力を制御する電力制御方法であって，
通信路の設定後，通信路上に一定の長さの通信単位を連続的に形成して送信し続ける第１の無線通信路上の通信データを受信し，該通信データに誤りがあるかどうかを前記通信単位ごとに判定する第１の誤り判定を行い，
通信路の設定後，通信データがある場合に前記一定の長さの通信単位を通信路上に形成して送信する第２の無線通信路上の通信データを受信し，該通信データに誤りがあるかどうかを前記通信単位ごとに判定する第２の誤り判定を行い，
前記第１の誤り判定により誤りがあると判定された通信単位の個数Ｍ１をあらかじめ定められた測定周期ごとに計測し，該個数Ｍ１の値と，前記目標電力値の変更の判定基準となる所定の第１の判定基準値とに基づいて前記目標電力値の変更を指示し，
前記第２の通信路を介して受信された通信単位の個数Ｎ２と，前記第２の誤り判定により誤りがあると判定された通信単位の個数Ｍ２とを前記測定周期ごとに計測し，前記個数Ｎ２の値に応じて決定される，前記目標電力値の変更の判定基準となる第２の判定基準値と，前記個数Ｍ２の値，または，前記個数Ｎ２およびＭ２の値とに基づいて前記目標電力値の変更を指示し，
前記各指示に基づいて前記目標電力を変更する，
電力制御方法。
【０１２７】
【発明の効果】
本発明によると，パケット・データのような不連続的なデータを送信する通信路のように，測定周期ごとに受信される通信単位が変化する場合であっても，通信単位の受信個数Ｎに応じた電力制御を行うことができる。また，目標電力閾値を変化させる判定基準となる判定基準値を通信単位の受信個数Ｎに応じて適切な値に設定しておくことにより，個数Ｎが変化しても，送信電力の制御を適切に行うことができる。
【図面の簡単な説明】
【図１】本発明による第１の実施の形態の移動通信システムの一部を示すブロック図である。
【図２】本発明による第１の実施の形態の移動通信システムの一部を示すブロック図である。
【図３】受信フレーム数ＮとＮＧ閾値との関係を示すテーブルであり，（Ａ）は，受信フレーム数ＮとＮＧ閾値との一般的な関係を示すテーブルであり，（Ｂ）は，具体的な数値に基づくテーブルである。
【図４】Ｓｃｈ用のＦＥＲ測定部の処理の流れを示すフローチャートである。
【図５】第１の方法による目標電力閾値の変更方法の一例を示すテーブルである。
【図６】図１に示す移動通信システムにおいて，ＢＴＳとＭＳ／ＳＵとの間に，Ｆ−Ｓｃｈが設定されていない場合を示す。
【図７】受信フレーム数Ｎと目標ＦＥＲ値との関係を示すテーブルであり，（Ａ）は，受信フレーム数Ｎと目標ＦＥＲ値との一般的な関係を示すテーブルであり，（Ｂ）は，具体的な数値に基づくテーブルである。
【図８】ＮＧ閾値を２つまたは３つ設けた場合の，受信フレーム数ＮとＮＧ閾値と目標電力閾値の上げる量（アップ量）および下げる量（ダウン量）との関係を示すテーブルであり，（Ａ）は，一般的な関係を示すテーブルであり，（Ｂ）は，具体的な数値に基づくテーブルである。
【符号の説明】
１  移動局（ＭＳ／ＳＵ）
２  基地局（ＢＴＳ）
３  基地局制御装置（ＢＳＣ）
２０  ビット付与部
２１，２２，５９，６０，６１  送信電力制御部
２９，６２  ビット抽出部
２５，２７，５３，５４  ＣＲＣ判定部
３１，３２，５５，５６  ＦＥＲ測定部
２３，５７  目標電力設定部
２４，５８  受信電力測定部
１１，１６  フォワード方向基本チャネル
１２，１７  フォワード方向補助チャネル
１３  リバース方向パイロット・チャネル
１４，１８  リバース方向基本チャネル
１５，１９  リバース方向補助チャネル
【図１】
0003929258.tif 000002
【図２】
0003929258.tif 000003
【図３】
0003929258.tif 000004
【図４】
0003929258.tif 000005
【図５】
0003929258.tif 000006
【図６】
0003929258.tif 000007
【図７】
0003929258.tif 000008
【図８】
0003929258.tif 000009